(57)【特許請求の範囲】
【請求項１】
ベース部材とカバー部材とによりカード挿入口を有するカード収容空間を形成し、該カード収容空間内に第１のカード、該第１のカードに比べて、長さが短く、幅が狭く、及び厚さが薄い第２のカードのうちいずれか１つが選択的に収容されるカードコネクタであって、
前記第１のカード用の複数の第１のコンタクトと、前記第２のカード用の複数の第２のコンタクトを有する複数のコンタクト、
前記カード収容空間を上下に仕切るとともに、前記第１のカードの挿入及び排出に対応し前記カード収容空間内を下降及び上昇し得るように形成された仕切り板、
前記カードコネクタ内を前後方向に移動可能に設けられたイジェクト機構
を備え、
前記イジェクト機構は、カードコネクタ内を前後方向に摺動し得るイジェクト部材、該イジェクト部材に連結し、前記第１のカードの前端面に当接する第１のカード押圧面を有するカード当接部材、及び該カード当接部材に取り付けられ、前記第２のカードの前端面に当接する第２のカード押圧面を有する可動金属部材を少なくとも有し、
前記可動金属部材及び前記第２のカード押圧面は、前記第１のカード押圧面の後方に配置され、
前記可動金属部材の前記第２のカード押圧面は、前記第１のカードの挿入及び排出により前記仕切り板が下降及び上昇するのに対応して、上昇位置としての第１の位置と下降位置としての第２の位置との間を移動可能であり、
前記可動金属部材は、前記第２のカード押圧面が前記第１の位置にあるとき、前記第１のカード押圧面の少なくとも一部を覆い隠すように形成されていることを特徴とするカードコネクタ。
【請求項２】
前記カード当接部材は、前記第１のカード押圧面が形成される本体、及び該本体から後方に延在し、前記可動金属部材が固定支持される支持体を備えていることを特徴とする請求項１に記載のカードコネクタ。
【請求項３】
前記カード当接部材の本体には、摺動面を有する受け部材が形成され、
前記可動金属部材は、該可動金属部材を前記支持体に固定支持するための固定片と支持片、該支持片に弾性変形可能に支持される弾性変形片、該弾性変形片に連結され、該弾性変形片とともに、後方から見て前記本体に形成されている前記第１のカード押圧面の少なくとも一部を覆い隠すように形成される移動片、及び該移動片の後方に設けられ、前記受け部材の前記摺動面上を摺動する当接片、を含んでおり、
前記可動金属部材の前記当接片に、前記第２のカード押圧面が形成されていることを特徴とする請求項２に記載のカードコネクタ。
【請求項４】
前記第２のカードには、少なくとも前方及び下方に向って開放するダミーの溝部が形成されており、
前記カード当接部材の前記支持体の一部及び前記可動金属部材の前記支持片は、前記第２のカードの前記ダミーの溝部に収容され得るように形成されていることを特徴とする請求項３に記載のカードコネクタ。
【発明の詳細な説明】
【技術分野】
【０００１】
本発明は、カードコネクタに関し、より詳細には、多種類のカードを装着できるカードコネクタに関する。
【背景技術】
【０００２】
電子機器や情報端末機器などにおいては、機能拡張のために、通常、カードコネクタを介して、ＣＰＵあるいはメモリ用の集積回路内蔵カード（以下、単に、「カード」という。）を装着することが知られている。他方、装着されるカードは、そのサイズや形状あるいは外部接点の配置などが異なる種類のものが出現してきている。このような多種多様のカードの出現に伴って、１つのカードコネクタに多種類のカードの装着が選択的に可能であるカードコネクタが求められている。
【０００３】
そのようなカードコネクタとして、例えば、特許文献１には、コネクタ本体とカバー部材とによって形成されるコネクタハウジングを上下に二分する仕切り部材を備えたものが提案されている。この仕切り部材によってコネクタハウジングには、第１カードが挿入される上部スロットと、第２カードが挿入される下部スロットが形成される。このカードコネクタには、装着された第１カードと第２カードをカードコネクタから排出するために、第１イジェクト機構と第２イジェクト機構とが各スロットに設けられている。
【０００４】
また、特許文献２には、特許文献１と同様に、コネクタ本体とカバー部材とによって形成されるコネクタハウジングが仕切り板によって上下に仕切られ、ＳＤ（secure digital）カードとメモリスティックデュオ（登録商標）カードとを選択的に装着可能なカードコネクタが提案されている。このカードコネクタのイジェクト機構は、ハウジングの上段に位置し、ＳＤカードの前端面に係合するカード押出部と、ハウジングの下段に位置し、カード押出部の下部より突出し、メモリスティックデュオ（登録商標）カードの前端面に当接する張出部を有している。張出部は、ＳＤカードとメモリスティックデュオ（登録商標）カードが、カードコネクタに装着された際に、カードコネクタからカード後端面が突出する量を一致させるために、カード押出部より前方（カード挿入口側）に突出している。
【先行技術文献】
【特許文献】
【０００５】
【特許文献１】特開２００６−１７２７６８号公報
【特許文献２】特開２００４−２０６９６３号公報
【発明の概要】
【発明が解決しようとする課題】
【０００６】
上記特許文献１に開示されるカードコネクタは、イジェクト機構がコネクタハウジングの上部及び下部スロットにそれぞれ設けられるため、コネクタの高さが高くなり、近年の電子機器の小型化に伴う、カードコネクタの低背化の要求を満足することが難しい。また、部品点数が多くなり、製品コストを増大させてしまう。
【０００７】
上記特許文献２に開示されるカードコネクタは、イジェクト機構が１つにまとめられているため、部品点数が少なくなり、且つコネクタの高さを低くすることが可能となる。しかしながら、メモリスティックデュオ（登録商標）カードの前端面に当接する張出部が、仕切り板及びハウジング底面と干渉しないよう、張出部と仕切り板及びハウジング底面との間に所定の隙間が形成される。そのため、張出部の高さが低くなり、張出部がカードの前端面の一部にしか当接せず、カード挿入時又は排出時にカードと張出部との当接が外れ易くなる。張出部とカードとの当接が外れてしまうと、カードの前端が張出部と仕切り板またはハウジング底面との間の隙間内に入り込んでしまい、カードの正常な挿入または排出が妨げられ、あるいは、カード及びイジェクト機構が損傷する恐れがある。
【０００８】
本発明の目的は、このような問題点を解消するカードコネクタを提供することにある。
【課題を解決するための手段】
【０００９】
本発明に係るカードコネクタは、上記目的を達成するために、ベース部材とカバー部材とによりカード挿入口を有するカード収容空間を形成し、該カード収容空間内に第１のカード、該第１のカードに比べて、長さが短く、幅が狭く、及び厚さが薄い第２のカードのうちいずれか１つが選択的に収容されるカードコネクタであって、前記第１のカード用の複数の第１のコンタクトと、前記第２のカード用の複数の第２のコンタクトを有する複数のコンタクト、前記カード収容空間を上下に仕切るとともに、前記第１のカードの挿入及び排出に対応し前記カード収容空間内を下降及び上昇し得るように形成された仕切り板、前記カードコネクタ内を前後方向に移動可能に設けられたイジェクト機構を備え、前記イジェクト機構は、カードコネクタ内を前後方向に摺動し得るイジェクト部材、該イジェクト部材に連結し、前記第１のカードの前端面に当接する第１のカード押圧面を有するカード当接部材、及び該カード当接部材に取り付けられ、前記第２のカードの前端面に当接する第２のカード押圧面を有する可動金属部材を少なくとも有し、前記可動金属部材及び前記第２のカード押圧面は、前記第１のカード押圧面の後方に配置され、前記可動金属部材の前記第２のカード押圧面は、前記第１のカードの挿入及び排出により前記仕切り板が下降及び上昇するのに対応して、上昇位置としての第１の位置と下降位置としての第２の位置との間を移動可能であり、前記可動金属部材は、前記第２のカード押圧面が前記第１の位置にあるとき、前記第１のカード押圧面の少なくとも一部を覆い隠すように形成されていることを特徴とする。
【００１０】
本発明に係るカードコネクタは、具体的な構成として、カード当接部材が、本体、支持体を備え、カード当接部材の本体には、上記第１のカード押圧面が形成され、支持体には、可動金属部材が固定支持される。
また、本発明に係るカードコネクタは、前記カード当接部材の本体には、摺動面を有する受け部材が形成され、前記可動金属部材は、該可動金属部材を前記支持体に固定支持するための固定片と支持片、該支持片に弾性変形可能に支持される弾性変形片、該弾性変形片に連結され、該弾性変形片とともに、後方から見て前記本体に形成されている前記第１のカード押圧面の少なくとも一部を覆い隠すように形成される移動片、及び該移動片の後方に設けられ、前記受け部材の前記摺動面上を摺動する当接片、を含んでおり、前記可動金属部材の前記当接片に、前記第２のカード押圧面が形成されていることが好ましい。
【００１１】
さらに、本発明のカードコネクタは、第２のカードには、少なくとも前方及び下方に向って開放するダミーの溝部が形成されており、カード当接部材の支持体の一部及び可動金属部材の支持片は、第２のカードのダミーの溝部に収容され得るように形成されていることが好ましい。
【００１２】
また、本発明に係るカードコネクタは、可動金属部材の弾性変形片が、第２のカードが装着されたとき、該第２のカードに当接しないように形成されていることが好ましい。
【発明の効果】
【００１３】
本発明に係るカードコネクタは、上記のような構成を備えることで、従来のように、大きさの異なるカードのカードコネクタからの突出量を略同じくすることを維持することを可能とする。それにも拘らず、大小のカードが当接するカード押圧面を上下方向に重複させることで、大小のカードのカード押圧面の大きさを十分大きく取ることができ、大小のカードの装着、排出をいずれも確実に実行することができる。さらに、カード押圧面が後方から見て上下方向に重なることで、カードコネクタの低背化を図ることが可能となる。
【図面の簡単な説明】
【００１４】
【図１】カバー部材が取り外された状態にある本発明に係るカードコネクタの斜視図である。
【図２】図１に示されるカードコネクタのＩＩ−ＩＩ線に沿って断面された要部断面図である。
【図３】図１のカードコネクタに第１のカードが装着されることを示す図２と同様の断面図であって、（ａ）は、第１のカードの前面がカード押圧部に当接した瞬間の状態を示し、（ｂ）は、第１のカードが所定の位置に装着された状態を示す。
【図４】図１のカードコネクタに第２のカードが装着されることを示す図２と同様の断面図であって、（ａ）は、第２のカードの前面が可動金属部材のカード押圧片に当接した瞬間の状態を示し、（ｂ）は、第２のカードが所定の位置に装着された状態を示す。
【図５】図１のカードコネクタのイジェクト機構の要部拡大斜視図である。
【図６】図５のイジェクト機構の分解図であり、（ａ）は、イジェクト部材の要部拡大斜視図であり、（ｂ）は、可動金属部材の拡大斜視図である。
【図７】図１のカードコネクタに用いられる第１のカードの斜視図である。
【図８】図１のカードコネクタに用いられる第２のカードの斜視図である。
【発明を実施するための形態】
【００１５】
以下、図面を用いて本発明に係るカードコネクタの好ましい１つの実施形態につき詳細に説明する。
【００１６】
なお、本明細書の説明において、用語「左」及び「右」は、図１に示される座標において、それぞれ、＋ｘ方向及び−ｘ方向を指し、用語「前」及び「後」は、それぞれ、図１に示される＋ｙ方向及び−ｙ方向を指し、用語「上」及び「下」は、それぞれ、＋ｚ方向及び−ｚ方向を指すものとする。
【００１７】
本発明の実施形態に係るカードコネクタ１は、２つの大きさの異なるＩＣカードである第１のカード１１０及び第２のカード１２０が装着可能であって、２つのうちのいずれか一方を選択的に装着可能とするカードコネクタである。
【００１８】
図７は、第１のカード１１０としての例えばＳＤ（secure digital）カードを裏返した状態（以下、「リバース状態」という。）の図である。第１のカード１１０は、水平断面で概略矩形状をなしており、上部本体１１１及び下部本体１１２を備えている。下部本体１１２には、それぞれが前方及び下方に向って開放し、それぞれの底面に外部接点としてのパッド１１４を備える複数の溝部１１３が形成されている。第１のカード１１０は、上部本体１１１の幅（Ｗ１０）が、下部本体１１２の幅（Ｗ１１）よりも広い構造を有している。したがって、第１のカード１１０は、左右両側部が段部１１５を介して階段状に形成された形状を有するカードである。本実施形態では、第１のカード１１０は、リバース状態、すなわち、パッド１１３が形成されている面（裏面）を上向きにした状態でカードコネクタ１に装着される。なお、図７において、１１６は、カード前方の角部に形成された切欠部としての傾斜面であり、１１７は、第１のカード１１０をカード収容空間内に正しく挿入するとき、該カード１１０の前面となるカード前端面である。また、Ｌ１０は、第１のカード１１０の前後方向の長さ、Ｗ１２は、左右に形成されている段部１１１の幅、Ｈ１０は、第１のカード１１０全体の高さ（厚さ）、Ｈ１１及びＨ１２は、上部本体１１１及び下部本体１１２の高さをそれぞれ示している。
【００１９】
第２のカード１２０は、図８に示されるように、第１のカード１１０に比べて、長さが短く、幅が狭く且つ高さが低い、例えば、メモリスティックデュオ（登録商標）である。本実施形態においては、第２のカード１２０は、水平断面で概略矩形状をなす本体１２１を備えており、該本体１２１には、それぞれが前方及び下方に向って開放し、それぞれの底面に外部接点としてのパッド１２３を備える複数の溝部１２２が形成されている。本実施形態における第２のカード１２０は、Ｌ２０の長さ、Ｗ２０の幅、Ｈ２０の高さ（厚さ）を有する。第２のカード１２０は、第１のカード１１０の上部１１１及び下部１１２の幅（Ｗ１０及びＷ１１）のいずれよりもその幅が狭いカードである。本実施形態における第２のカード１２０は、パッド１２３が形成されている面（裏面）を下向きにしたノーマルな状態（図８に示された状態からひっくり返された状態）でカードコネクタ１に装着される。なお、図８において、１２４は、カード前方の角部に形成された切欠部としての傾斜面であり、１２５は、傾斜面１２４に対応して、前方及び下方に向って開放するダミーの溝部である。また、１２７は、第２のカード１２０をカード収容空間内に正しく挿入するとき、該カード１２０の前面となるカード前端面である。さらに、Ｗ２１及びＷ２２は、ダミーの溝部１２５の幅及びダミーの溝部１２５のカードの側面からの距離を示す。Ｌ２１及びＬ２２は、それぞれ、ダミーの溝部１２５の左右方向中央側の奥行（前後方向の長さ）及びダミーの溝部１２５の側面側の奥行を、Ｈ２１は、ダミーの溝部１２５の深さ（上下方向の長さ）を示す。また、Ｈ２２は、第２のカード１２０の前面端１２７の垂直部分の高さ（上下方向の長さ）を示す。
【００２０】
次に、本実施形態に係るカードコネクタ１の構造について図１を用いて説明する。カードコネクタ１は、概略、ベース部材１０、カバー部材８（図２〜４参照）、仕切り板４１、ロック金具５０、アクチュエータ６０、複数のコンタクト８０及び９０、及びイジェクタ機構２０を含んでいる。本実施形態におけるカードコネクタ１は、さらに、ライトプロテクトスイッチ７０及びカード認識スイッチ７５を含み得る。
【００２１】
カバー部材８は、金属薄板をプレス加工により、打ち抜き、曲げ加工されることで形成され、概略、天板８ａ、左右の側壁（不図示）を有し、垂直断面略逆Ｕ字形を成している。該カバー部材の左右の側壁には、複数の取り付け孔が形成され、後述するベース部材１０の左右の側壁１３、１４に形成されている複数の突起１９と係合し、カードコネクタ１を形成する。すなわち、カバー部材８は、ベース部材１０に取り付けることにより、後方に向って開放するカード挿入口５を有するＩＣカード収容空間を形成する。
【００２２】
ベース部材１０は、底壁１１、前壁１２、右側壁１３及び左側壁１４を有する概略箱状の形状を成し、電気的に絶縁性のプラスチックから作成される。また、ベース部材１０の底壁１１には、第２のコンタクト９０及び押上バネ４９（図２参照）を含む部品がインサート成形により埋め込まれる。
【００２３】
ベース部材１０の前壁１２の上方には、該前壁１２を前後方向に貫通する複数の貫通孔１２ａが形成される。該貫通孔１２ａ内に、第１のカード１１０の複数のパッド１１４に対応する複数の第１のコンタクト８０それぞれが圧入される。複数の第１のコンタクト８０は、それぞれの接点８１が上下に変位可能となるように、片持ち梁状に前壁１２に支持される。各コンタクト８０の接点８１は、円弧状に突出して形成され、該円弧状突出部が下向きに配置されるように支持されている。
【００２４】
ベース部材１０の左右の側壁１３及び１４には、２つの幅が異なるカード１１０、１２０をカード収容空間内に案内する案内路が対をなして形成される。本実施形態においては、左右の側壁１３及び１４それぞれのカード収容空間に面する側に、上段案内路１５、中段案内路１６及び下段案内路１７が対をなして形成されている。上段案内路１５、中段案内路１６及び下段案内路１７は、いずれも底壁１１に対して垂直であり、互いに平行に形成され、隣接する２つの案内路間でそれぞれ階段を形成している。
【００２５】
左右の側壁１３及び１４に形成される一対の上段案内路１５は、第１のカード１１０の下部本体１１２の幅Ｗ１１とほぼ同じかそれより若干大きい幅を有する。また、一対の中段案内路１５は、第１のカード１１０の上部本体１１１の幅Ｗ１０とほぼ同じかそれより若干大きい幅を有する。また、上段案内路１５及び中段案内路１６の高さの合計は、第１のカード１１０の高さＨ１０と略同じかそれより若干高い高さを有する。リバース状態の第１のカード１１０は、上段案内路１５及び中段案内路１６によってカード収容空間内へ案内され、挿入される。一対の下段案内路１７は、第２のカード１２０の幅Ｗ２０とほぼ同じかそれより若干大きい幅を有する。また、下段案内路１７の高さは、第２のカード１２０の高さより低い。第２のカード１２０の高さが下段案内路１７の高さよりも高いので、第２のカード１２０は、その一部が中段案内路１６間に突出する状態で下段案内路１７によりカード収容空間内に案内され、挿入される。このように、第１のカード１１０と第２のカード１２０のカード収容空間は、一部重複しており、一方のカードが収容されている場合、他方のカードを収容することができないため、カードの同時挿入を防ぐことができる。また、カード収容空間が一部重複することで、カードコネクタ１の高さを低減することができる。
【００２６】
ベース部材１０の左右の側壁１３及び１４それぞれの後方には、一対のロック金具５０が設けられている。一対のロック金具５０は、左右の側壁１３及び１４それぞれの後方側（すなわち、カード挿入口５側）に形成されている後方収容溝１３ａ及び１４ａ内に、それぞれが相対向するように、左右対称に配置される。
【００２７】
ベース部材１０の底壁１１の前方には、第２のカード１２０の外部接点である複数のパッド１２３に対応して複数の第２のコンタクト９０が互いに平行に配置されている。第２の複数のコンタクト９０それぞれは、片持ち梁状に底壁１１に支持されている。限定されるものではないが、本実施形態においては、複数の第２のコンタクト９０は、その所定の部分が底壁１１内にインサート成形される。
【００２８】
次に、一対のロック金具について説明する。該一対のロック金具５０は、同じ形状であり、本明細書では、左側壁１４の後方収容溝１４ａ内に配置されている左ロック金具５０についてのみ説明する。
【００２９】
ロック金具５０は、後方収容溝１４ａのカード収容空間側（内側）に配置される弾性変形片５１とカード収容空間から遠い側（外側）に配置される固定片５３とを有する。弾性変形片５１と固定片５３は、互いに平行であり、水平断面で略Ｕ字形となるように後方側で連結されている。弾性変形片５１の後方側の固定片５３と連結される部分の近傍には、左側壁１４の中段案内路１６のカード挿入口５近傍に形成される開口部（不図示）からカード収容空間内に突出する接触部５２が設けられている。弾性変形片５１の前方自由端側には、後述するアクチュエータ６０の突出ピン６２（図１には、右側の突出ピン６２のみが示されている。）が係合する開口５４が形成されている。具体的には、ロック金具５０は、プレス加工により、金属薄板から細長い板状体として打ち抜かれ、折り曲げることで形成される。ロック金具５０は、その固定片５３が左側壁１４の後方収容溝１４ａ内に圧入固定されている。なお、後方収容溝１４ａは、弾性変形片５１の開口５４に対応する部分より前方であって、隔壁１４ｂまでの間は、該溝１４ａ全体がカード収容空間に連通するように形成されている。したがって、一対の上段案内路１５、一対の中段案内路１６及び一対の下段案内路１７は、カード挿入口５から弾性変形片５１の開口５４に対応する部分の直前まで延在していることになる。
【００３０】
ベース部材１０の右側壁１３の後方収容溝１３ａの前方には、隔壁１３ｂを介して前方収容溝１３ｃが形成されている。右側壁１３の前方収容溝１３ｃ内には、それぞれの一部がカード収容空間内に突出するように形成されているライトプロテクトスイッチ７０及びカード認識スイッチ７５が配置されている。
【００３１】
ベース部材１０の左側壁１４の後方収容溝１４ａの前方には、隔壁１４ｂを介して前方収容溝１４ｃが形成されている。左側壁１４の前方収容溝１４ｃ内には、ＩＣカード１１０及び１２０の、カード収容空間内への装着及び該カード収容空間からの排出を助けるイジェクト機構２０が配置されている。
【００３２】
本実施形態におけるイジェクト機構２０は、従来周知のプッシュ・プッシュ式イジェクト機構を備えている。具体的には、本実施形態におけるイジェクト機構２０は、概略、カムレバー２１、イジェクト部材２４、圧縮コイルバネ２９、及びカード当接部材２５を含んでいる。
【００３３】
カムレバー２１は、一端が隔壁１４ｂに揺動自在に支持され、他端がイジェクト部材２４に形成されているカム溝２３に案内されるカムフォロワーとして機能する。イジェクト部材２４は、図６（ａ）に詳細に示されるように、その上面にハートカム２２、カム溝２３が形成される。イジェクト部材２４は、左側壁１４の隔壁１４ｂより前方に形成される前方収容溝１４ｃ内を前後方向に摺動可能であるように該前方収容溝１４ｃ内に収容される。圧縮コイルバネ２９は、左側壁１４の前方収容溝１４ｃ内前方に配置され、イジェクト部材２４を後方に向って付勢する。
【００３４】
ここで、本発明において最も特徴とするカード当接部材２５について図５及び図６（ａ）、（ｂ）を用いて詳細に説明する。本実施形態において、カード当接部材２５は、図５に示されるように、イジェクト部材２４に連結される第１のカード当接部材２６、第２のカード当接部材２７及び可動金属部材３０を含んでいる。第１及び第２のカード当接部材２６及び２７は、いずれも、カード収容空間内に突出するように形成されている。
【００３５】
第１のカード当接部材２６は、イジェクト部材２４に連結され、イジェクト部材２４から右方向に、すなわち、カード収容空間内に突出するように形成されている。第１のカード当接部材２６は、イジェクト部材２４の上方に配置される。第１のカード当接部材２６は、図６（ａ）及び７に示されるように、第１のカード１１０に形成された切欠部の傾斜面１１６に当接する傾斜面２６ａを有する。本実施形態における第１のカード当接部材２６は、図１及び２に示されるように、カードが未挿入であるとき、後述する仕切り板４１の上方に配置される。
【００３６】
第２のカード当接部材２７は、図６（ａ）に示されるように、連結部２８を介して、イジェクト部材２４の下方部分に連結されている。第２のカード当接部材２７は、また、第１のカード当接部材２６の右側下方に配置される。第２のカード当接部材２７は、図１及び２に示されるように、カードが未挿入であるとき、仕切り板４１の下方及び前方に配置されるように設けられる。より具体的には、イジェクト部材２４からカード収容空間内に向って延在する連結部２８は、仕切り板４１のバネ受け部４３の上を跨ぐように形成される水平部分を備える。
【００３７】
第２のカード当接部材２７は、本体２７ａ及び支持体２７ｄを備えている。第２のカード当接部材２７の本体２７ａの上面は、ベース部材１０の底壁１１の上面と略平行であって、仕切り板４１の下面と略同一平面内にあるように水平に形成される。また、第２のカード当接部材２７の本体２７ａの下面は、該部材２７の上面と平行であって、ベース部材１０の底壁１１の上面に沿って前後方向に摺動し得るように形成される。本体２７ａの高さ（その上面と下面との間の距離）は、第２のカード１２０の厚さＨ２０に略等しくなるように設定される。
【００３８】
第２のカード当接部材２７を構成する本体２７ａの前端面２７ｎは、ベース部材１０の底壁１１に対して直角をなし、且つ前壁１２と平行となるように、形成されている。
【００３９】
第２のカード当接部材２７を構成する本体２７ａは、第１のカード１１０に形成された切欠部の傾斜面１１６に当接する傾斜面２７ｃを備える。傾斜面２７ｃは、また、第１のカード当接部材２６に形成された傾斜面２６ａと同一平面内にあるように形成される。
【００４０】
本体２７ａは、また、第１のカード１１０の前端面１１７に当接する第１のカード押圧面２７ｂを備える。第１のカード押圧面２７ｂは、上記傾斜面２７ｃの右側であって、該傾斜面２７ｃに隣接して形成される。第１のカード押圧面２７ｂは、ベース部材１０の底壁１１に対して直角をなし、且つ前壁１２と平行となるように、第２の当接部材２７に設けられる。該第１のカード押圧面２７ｂは、第１のカード１１０が当接したとき、イジェクト部材２４を圧縮バネ２９に抗して移動させるための主要要素として機能する。
【００４１】
本体２７ａは、上記第１のカード押圧面２７ｂのさらに右側であって、該第１のカード押圧面２７ｂに隣接して、後方に向って突出する受け部材２７ｈが設けられる。該受け部材２７ｈは、後述する可動金属部材３０を構成する当接片３５が接触して摺動する摺動面２７ｉを備える。該摺動面２７ｉは、受け部材２７ｈの後端面を形成し、上記第１のカード押圧面２７ｂと略平行に形成されている。該摺動面２７ｉは、第１のカード１１０と第２のカード１２０の長さの差（Ｌ１０−Ｌ２０）から可動金属部材３０（の当接片３５）の厚さｔをさらに差し引いた長さに等しい間隔をあけて第１のカード押圧面２７ｂから後方に配置されるように形成されている。摺動面２７ｉをこのように形成することにより、第１のカード１１０または第２のカード１２０のいずれかを選択的にカードコネクタ１に装着した場合であっても、カードがカードコネクタ１から後方に突出する量が略同じくなる。受け部材２７ｈの摺動面２７ｉ上端から前方に延在する上面は、略水平であり、したがって、第２のカード当接部材２７の下面に略平行である。受け部材２７ｈの上面には、後述するように、可動金属部材３０の移動片３４が当接し得るように形成される。第２のカード当接部材２７の本体２７ａの下面から受け部材２７ｈの上面までの高さは、カバー部材８の天板８ａの下面から受け部材２７ｈの上面までの距離が第１のカード１１０の厚さＨ１０に可動金属部材３０の（移動片３４の）厚さｔを加えた長さと略同じかそれよりも若干大きくなるように設定される。受け部材２７ｈの上面の高さは、本体２７ａの高さよりも低く、したがって、第２のカード１２０の厚さＨ２０より十分小さく設定され得る。本実施形態では、受け部材２７ｈの水平な上面に続く前方には、可動金属部材３０の係合片３７が上下動するための変位空間２７ｊが形成されている。該空間２７ｊの上方には、可動金属部材３０が過剰に上方へ移動することを防止するストッパ２７ｋが設けられている。
【００４２】
第２のカード当接部材２７を構成する支持体２７ｄは、主に、可動金属部材３０を弾性変形可能に支持するための部材である。該支持体２７ｄは、前方部分２７ｄ１と後方部分２７ｄ２を含んでいる。支持体２７ｄの前方部分２７ｄ１は、本体２７ａの左側後方下方、すなわち傾斜面２７ｃ及び第１のカード押圧面２７ｂの一部の下方から上記受け部材２７ｈに若干に間隔を空け、該受け部材２７ｈに平行に後方に向って突出形成されている。  支持体２７ｄの後方部分２７ｄ２は、図６（ａ）に示されるように、前方部分２７ｄ１の右側側面に沿ってさらに後方に延在する。後方部分２７ｄ２は、前方部分２７ｄ１より幅（左右方向の長さ）が小さく、第２のカード１２０の裏面に形成されているダミーの溝部１２５の幅Ｗ２１より若干小さい幅を有する。また、後方部分２７ｄ２の下面からの高さは、ダミーの溝部１２５の深さＨ２１から後述する可動金属部材３０の支持片３２の厚さｔを差し引いた長さより小さく設定される。さらに、前方部分２７ｄ１後端から延在する後方部分２７ｄ２の長さは、第２のカード１２０のダミーの溝部１２５の側面側の奥行Ｌ２２に略等しくなるように設定される。後方部分２７ｄ２をこのように構成することで、第２のカード１２０が挿入されたとき、該後方部分２７ｄ２は、可動金属部材３０の支持片３２とともに、第２のカード１２０のダミーの溝部１２５内に収容される。なお、前方部分２７ｄ１及び後方部分２７ｄ２を含む支持体２７ｄの下面は、本体２７ａの下面と面一に形成され、本体２７ａとともにベース部材１０の底壁１１に上面に沿って前後方向に摺動し得るように形成される。
【００４３】
支持体２７ｄの前方部分２７ｄ１には、上方及び後方に向って開放し、上から見て概略Ｃ字形をなしているＣ字形溝部２７ｇが形成される。該Ｃ字形溝部２７ｇの底面は、略水平に延在する水平面傾斜面２７ｇ１と、該水平面２７ｇ１から前方に向って上昇する傾斜面２７ｇ２として形成される。Ｃ字形溝部２７ｇのさらに前方の底面は、本体２７ａの傾斜面２７ｃ及び第１の押圧面２７ｂに沿う水平面２７ｇ３として形成され、本体２７ａの受け部材２７ｈの上面に左右方向に対向するように形成される。支持体２７ｄの前方部分２７ｄ１に形成されるＣ字形溝部２７ｇの形状は、図５及び図６（ａ）、（ｂ）に示されるように、可動金属部材３０の形状と略同じであることが理解される。
【００４４】
支持体２７ｄの後方部分２７ｄ２は、後述する可動金属部材３０を構成する固定片３１が圧入される圧入孔２７ｆが形成された後端面２７ｅを備えている。該後端面２７ｅは、上記第１のカード押圧面２７ｂと略平行に形成されている。圧入孔２７ｆは、後方に向って開口し、上記固定片３１の長さに略等しい長さ分支持体２７ｄの後方部分２７ｄ２内に前後方向に延在している。支持体２７ｄの後方部分２７ｄ２の上面は、後方側では、後端面２７ｅ上端から前方に向って水平に延在する水平面２７ｄ２１として形成され、前方側では、前方に向って下降する傾斜面２７ｄ２２として形成される。支持部材２７ｄの後方部分２７ｄ２に形成される傾斜面２７ｄ２２は、支持体２７ｄの前方部分２７ｄ２に形成される概略Ｃ字形溝部２７ｇの底面に連続する。
【００４５】
続いて、本発明に係るカード当接部材２５を構成する可動金属部材３０について説明する。可動金属部材３０は、選択的にカードが装着されることに伴って、第２のカード当接部材２７と協同して第１のカード１１０と第２のカード１２０と当接する第１のカード押圧面２７ｂと第２のカード押圧面３５ａを振り分ける機能を有する。
【００４６】
可動金属部材３０は、図６（ｂ）に詳細に示されるように、上から見て、概略Ｃ字形状をなし、固定片３１、支持片３２、弾性変形片３３、移動片３４及び当接片３５を備えている。可動金属部材３０は、厚さｔを有する金属薄板から所望の形状に打ち抜かれ、プレス加工により折り曲げられることで形成される。
【００４７】
可動金属部材３０を構成する固定片３１は、左右側面に形成された複数の係合爪３１ａを有し、前後方向に水平に延在する。支持片３２は、固定片３１の後端部において１８０°折り曲げられ、該固定片３１に平行に、且つ前方に向って水平に延在する。固定片３１及び支持片３２がこのように形成されることで、固定片３１が圧入孔２７ｆに圧入されるとともに、支持片３２が支持体２７ｄの後方部分２７ｄ２に形成される水平面２７ｄ２１に密着する。それにより、可動金属部材３０は、第２の当接部材２７の支持体２７ｄに固定される。なお、本実施形態では、支持片３２の前方部分は、支持体２７ｄの後方部分２７ｄ２に形成される傾斜面２７ｄ２２が前方に向って傾斜しているため、支持体２７ｄの上面から離れて配置される。また、支持片３２の幅（左右方向の長さ）は、支持体２７ｄの後方部分２７ｄ２の幅と略同じであり、したがって、第２のカード１２０の裏面に形成されているダミーの溝部１２５の幅Ｗ２１より若干小さい幅を有する。
【００４８】
可動金属部材３０を構成する弾性変形片３３が、支持片３２の前方に形成される。弾性変形片３３は、支持片３２の前端から左斜め前方に水平に延在する連結部３２ａを介して支持片３２に連結され、支持される。弾性変形部３３は、第２のカード１２０の角部に形成された傾斜面１２４に対応して形成されるため、第２のカード１２０との干渉による弾性変形片３３の変形を防ぐことができる。弾性変形片３３は、連結部３２ａの前端から前方に向って上昇する傾斜部３３ａ及び傾斜部３３ａに続いて該傾斜部３３ａの前端から前方に向って水平に延在する水平部３３ｂを含んでいる。傾斜部３３ａ及び水平部３３ｂは、連結部３２ａの前端及び傾斜部３３ａの前端において、所望の角度で折り曲げられることで形成される。少なくとも可動金属部材３０の傾斜部３３ａは、カードが未挿入の図２に示される状態にあるとき、仕切り板４１の下に配置されるように形成される。傾斜部３３ａ及び水平部３３ｂは、それぞれ、第２の当接部材２７の支持体２７ｄの前方部分２７ｄ１に形成されるＣ字形溝部２７ｇの底面を構成する水平面２７ｇ１及び傾斜面２７ｇ２の上方に間隔を置いて配置される（図５参照）。弾性変形片３３は、このような構成を備えることにより、仕切り板４１が下降すると、連結部３２ａの前端近傍を支点にして、下方に向って変形可能である。
【００４９】
可動金属部材３０を構成する移動片３４が、連結部３３ｃを介して、弾性変形部３３の前方であって、左右方向水平に延在するように形成されている。移動片３４と弾性変形片３３は、図６（ｂ）に示されるように、概略直角をなすように形成されるとともに、後方から見て、本体２７ａに形成される傾斜面２７ｃ及び第１のカード押圧面２７ｂを覆い隠すように形成される（図２及び５参照）。移動片３４は、弾性変形片３３の変形により上下に変位可能である。移動片３４は、カードが未挿入である図２に示される状態にあるとき、第２のカード当接部材２７の本体２７ａと仕切り板４１との間であって、該仕切り板４１と略同じ高さに配置されるように形成される。
【００５０】
可動金属部材３０を構成する当接片３５が、移動片３４の先端部（右側端部）の後方側に該移動片３４と直角をなすように下方に向けて折り曲げられることで形成されている。それにより、後方に向って配置される当接片３５の垂直面は、第２のカード１２０の前端面１２７に当接する第２のカード押圧面３５ａとして機能する。当接片３５は、下方に位置する受け部材２７ｈの摺動面２７ｉにまで延在していることが好ましい。当接片３５は、移動片３４とともに、弾性変形片３３の変形により、上下に移動可能である。言い換えると、当接片３５、したがって可動金属部材３０は、カードが未挿入であるときまたは第２のカード１２０が挿入されたとき、可動金属部材３０（の弾性変形片３３）が変形しないので、第１の位置としての上昇位置にある。一方、第１のカード１１０が挿入されたとき、当接片３５、したがって、可動金属部材３０は、仕切り板４１により可動金属部材３０（の弾性変形片３３）が押し下げられ、移動片３４が受け部材２７ｈの上面に当接した第２の位置としての下降位置にある。さらに言えば、当接片３５の第２のカード押圧面３５ａは、上昇した第１の位置から下降した第２の位置の間を移動可能であるといえる。なお、当接片３５が第２の位置にあるとき、当接片３５の下端部は、ベース部材１０の底壁１１と干渉しないように位置している。本実施形態においては、第２のカード１２０が挿入されたとき、当接片３５が上昇した第１の位置にあるので、第２のカード１２０のカード前端面１２７は、十分な大きさ（面積）を有する当接片３５の第２のカード押圧面３５ａに当接し得る。それにより、第２のカード１２０は、イジェクト部材２４を確実に移動させることができる。また、第１のカード１１０が挿入されたときも、可動金属部材３０（の移動片３４）が第２の位置に下降することで、十分な大きさを有する第１のカード押圧面２７ｂに当接し得る。それにより、第１のカード１１０は、ジェクト部材２４を確実に移動させることができる。これらのことから、本体に形成される第１のカード押圧面２７ｂと可動金属部材３０に形成される第２のカード押圧面３５ａは、通常、すなわち、カードが挿入されないとき、図２及び５に示されるように、後方から見て、左右方向にはズレているが、上下方向には重なっている。
【００５１】
本実施形態では、可動金属部材３０を構成する浮き防止片３６が、当接片３５の左側に隣接するとともに、移動片３４の後方側に形成されている。浮き防止変３６は、移動片３４より若干高く形成されるとともに、移動片３４より後方に水平に延在する。この浮き防止片３６は、第２のカード１２０が挿入され、当接片３５の第２のカード押圧面３５ａに第２のカード１２０のカード前端面１２７が当接したとき、第２のカード１２０の上面に接触し、第２のカード１２０の浮き上りを防止する。
【００５２】
本実施形態では、可動金属部材３０を構成する係合片３７が、移動片３４の前端部（右側端部）の前方側にさらに形成されている。係合片３７は、第２のカード当接部材２７の本体２７ａに設けられたストッパ２７ｋに係合することで、可動金属部材３０の上昇を規制する部材である。係合片３７は、本実施形態では、移動片３４より下方に配置するように折り曲げて形成されているが、移動片３４と同じ高さで水平に前方に延在していてもよい。
【００５３】
次に、装着されるＩＣカード（本実施形態においては、第１のカード１１０と第２のカード１２０）を振り分ける仕切り板４１について説明する。仕切り板４１は、概略、左右の側壁１３及び１４それぞれの隔壁１３ｂ及び１４ｂを結ぶ線より前方のカード収容空間内で上下動することで、該カード収容空間内において大きさの異なるカードを上下に振り分け、案内する。仕切り板４１は、第１のカード１１０が仕切り板４１の上に案内されると、下降するとともに、第２のカード当接部材２７に取り付けられている可動電気部材３０を第１の位置から第２の位置へ移動させる。
【００５４】
仕切り板４１は、細長い一対のバネ受け部４２、４３、一対の駆動片４４、４５及び一対の規制片４６、４７を含んでいる。
【００５５】
仕切り板４１は平坦であり、カードコネクタ１として組み立てられたとき、図１に示されるように、カード収容空間を横断する第１の位置に配置される。この時、仕切り板４１の下面の底壁１１からの高さが第２のカード１２０の厚さＨ２０とほぼ同じかそれより若干大きくなるように、仕切り板４１が配置される。仕切り板４１は、本実施形態では、その両側に設けられる一対のバネ受け部４２、４３より一段高い位置に設けられている。このように構成することで、仕切り板４１の両側と一対のバネ受け部４２、４３とをそれぞれ連結する垂直の段差部が小さなカード１２０を案内する。したがって、仕切り板４１の幅は、小さなカード１２０の幅Ｗ２０とほぼ同じである。なお、仕切り板４１は、該仕切り板４１が上下に移動しても第１及び第２のコンタクト８０及び９０やイジェクト機構２０に対して互いに干渉することがないように、例えば、略矩形状の前方切り欠き４１ａを形成するなど、適宜の形状に形成される。
【００５６】
細長い一対のバネ受け部４２、４３は、組み立てられたとき、ベース部材１０の底壁１１に設けられた一対の押上バネ４９、４９（図２参照）に対応するように、上記仕切り板４１の左右両側に設けられる。したがって、一対のバネ受け部４２、４３は、一対の押上バネ４９、４９により上方に向って付勢され、結果として、仕切り板４１は、通常、上方に押し上げられた第１の位置にある。本実施形態では、上述したように、一対のバネ受け部４２、４３は、仕切り板４１より一段低い位置に形成されるとともに、左側のバネ受け部４３がカード当接部材２５の下に配置されるように形成される。仕切り板４１及びその左右両側に設けられる一対のバネ受け部４２、４３を合わせた長さ、すなわち、幅は、第１のカード１１０の幅にほぼ等しくなるように設定される。
【００５７】
細長い一対のバネ受け部４２及び４３それぞれの外側には、細長い一対のバネ受け部４２及び４３それぞれに対して直交するように、垂直案内片（図１においては、バネ受け部４３に形成されている４３ａのみが示されている。）が設けられている。該垂直案内片４３ａは、細長い一対のバネ受け部４２及び４３の前後方向適宜の位置に設けられる。該垂直案内片４３ａは、ベース部材１０の右側壁１３及び左側壁１４の内壁面（カード収容空間に向いている面）に沿って移動することにより、仕切り板４１の上下方向の移動を案内する。該垂直案内片４３ａは、また、それぞれの高さを適宜設定することにより、後述する一対の規制片４６、４７とともに、仕切り板４１の上方への移動を規制することができる。すなわち、垂直案内片４３ａと一対の規制片４６、４７は、仕切り板４１が第２のカード１２０の厚さＨ２０と同じ高さとなる第１の位置より上に移動しないように仕切り板４１の上方への移動を規制する。
【００５８】
細長い一対のバネ受け部４２、４３の後端部には、一対の駆動片４４、４５がそれぞれの後端部から後方に向って延在するように設けられている。一対の駆動片４４、４５は、後述するアクチュエータ６０が回動したとき、アクチュエータ６０と係合し得るように、細長い一対のバネ受け部４２、４３の後端部から所定の長さ延在している。アクチュエータ６０の回転に伴い、アクチュエータ６０に形成されている一対の係合凹部（不図示）に係合した後、アクチュエータ６０のさらなる回転により、一対の駆動片４４、４５は、押上バネ４９、４９の付勢力に抗して下方に向って押し下げられる。それにより、仕切り板４１が後方に向って下がるように傾斜し、第１のカード１１０が仕切り板４１の後端に達したとき、該第１のカード１１０を仕切り板４１の上に案内することが可能となる。この後、第１のカード１１０は、また、垂直案内片４３ａによりカード収容空間内を案内されるとともに、第１のカード１１０により仕切り部材４０全体が押し下げられ、底壁１１に平行な第２の位置に移動する。
【００５９】
細長い一対のバネ受け部４２、４３の前端部には、一対の規制片４６、４７が、それぞれの前端部から上方に向けて延在するように設けられている。一対の規制片４６、４７は、細長い一対のバネ受け部４２、４３に直交するように、折り曲げられている。該一対の規制片４６及び４７は、例えば、前壁１２の内壁面（カード収容空間に向いている面）に沿って移動することにより、仕切り部材４０の上下方向の移動を案内するとともに、仕切り部材４０の上方への移動を規制する。
【００６０】
続いて、第１のカード１１０以外のカードの挿入を阻止するとともに、第１のカード１１０の挿入時、上記仕切り板４１を傾斜させて第１のカード１１０をカード収容空間の所定の位置に案内するアクチュエータ６０について説明する。
【００６１】
アクチュエータ６０は、シャッター部６１、一対の突出ピン６２（図１においては、右側の脚部６２のみ示されている。）、一対の脚部６５（図１においては左側の脚部６５のみ示されている。）及び一対の回転軸（不図示）を含んでいる。アクチュエータ６０は、カード収容空間を横断して配置され、カード収容空間内で回転可能に配置されている。また、アクチュエータ６０は、シャッター部６１及び一対の脚部６５により、第２のカード１２０が通過することができる垂直断面略矩形状の通過開口を有している。
【００６２】
シャッター部６１は、図１に示されるようにＩＣカードが装着されていないときは、カード挿入方向と直交し、カード収容空間を左右に横断し、該カード収容空間の上方部分を塞ぐように配置されている。シャッター部６１の左右両側には、左右の後方収容溝１３ａ、１４ａ内に向って突出する一対の突出ピン６２が形成されている。該一対の突出ピン６２は、図１に示されるようにＩＣカードが装着されていないときは、上述したように、それぞれ対応する一対のロック金具５０の開口５４に係合している。
【００６３】
シャッター部６１の左右両側であって、一対の突出ピン６２の内側に、一対の脚部６５が下方に向って設けられ、シャッター部６１及び一対の脚部６５により垂直断面矩形状の通過開口を形成している（図１参照）。該通過開口の垂直断面の形状は、第２のカード１２０の垂直断面の形状とほぼ同じか、それより若干大きくなるように設定される。すなわち、一対の脚部６５の間隔は、第２のカード１２０の幅Ｗ２０と同じであり、それにより、一対の下段案内路１７の間隔とほぼ同じである。一対の脚部６５の前面側には、それぞれ係合凹部（不図示）が形成されている。一対の係合凹部は、アクチュエータ６０の回転時、仕切り板４１の一対の駆動片４４、４５に係合し、該一対の駆動片４４、４５を押し下げ、結果として、仕切り板４１の後端部を押し下げる。
【００６４】
一対の脚部６５の下端には、それぞれ、該下端から左右外側に向って一対の回転軸（不図示）が突出形成される。一対の回転軸は、それぞれ、左右の側壁１３、１４の後方収容溝１３ａ、１４ａ内に配置され、該後方収容溝１３ａ、１４ａの底部を横断し、左右の側壁１３、１４に回転自在に支持される。一対の回転軸の一方または両方に、ネジリコイルバネ（不図示）が巻きつけられる。該ネジリコイルバネは、アクチュエータ６０のシャッター部６１が、図１に示されるように、直立した位置、すなわち、カード収容空間を閉じる第１の位置に付勢する。
【００６５】
アクチュエータ６０は、通常、図１に示されるように、そのシャッター部６１がカード収容空間を部分的に閉じる第１の位置にある。アクチュエータ６０は、後述するように、第１のカード１１０が挿入されたとき、ロック金具５０との係合が外れ、回転軸回りに回転可能状態となる。第１のカード１１０がさらに挿入されると、そのシャッター部６１が該第１のカード１１０に当接し、アクチュエータ６０を回転させながらこれを前方に押し倒し、シャッター部６１がカード収容空間を開放する第２の位置に回転移動する。また、第２のカード１２０が挿入されるときは、アクチュエータ６０を回転させることなく、該アクチュエータ６０に形成されている通過開口を通過させる。
【００６６】
本発明に係るカードコネクタ１は、以上の構成を備える。以下、本発明に係るカードコネクタ１へＩＣカードを択一的に装着する具体的な動作について説明する。先ず、第１のカード１１０を本発明に係るカードコネクタ１に装着する動作について説明する。
【００６７】
図１及び２に示されるように、第１のカード１１０を装着していないとき、カードコネクタ１のロック金具５０、アクチュエータ６０及び仕切り板４１は、いずれも第１の位置にある。具体的には、ロック金具５０はその対をなす接触部５２が閉じた第１の位置にあり、アクチュエータ６０はそのシャッター部６１がカード収容空間を部分的に閉じた第１の位置にある。このとき、一対のロック金具５０の対をなす開口５４とアクチュエータ６０の一対の突出ピン６２は係合している。また、仕切り板４１は、ベース部材１０の底壁１１とほぼ平行であって、該底壁１１からの高さが第２のカード１２０の厚さとほぼ同じである第１の位置にある。また、可動金属部材３０は、その移動片３４及び当接片３５が第１の位置としての上昇位置にある。
【００６８】
第１のカード１１０が、今、そのバッド１１４が形成された面を上にしたリバース状態でカード挿入口５から挿入される。すなわち、第１のカード１１０の幅の広い上部本体１１１が中段案内路１６に沿い、幅の狭い下部本体１１２が上段案内路１５に沿うようにカード挿入口５から挿入される。
【００６９】
第１のカード１１０が前方に向って挿入されると、その幅の広い上部本体１１１が、中段案内路１６の開口（不図示）を通ってカード収容空間内に突出する一対のロック金具５０の対をなす接触部５２に接触する。この接触により、対をなす接触部５２をカード収容空間から同時に退避させる。すなわち、対をなす接触部５２を第２の位置へ移動させる。それにより、一対のロック金具５０の対をなす弾性変形片５１が開き（第２の位置への移動）、該対をなす弾性変形片５１の対をなす開口５４とアクチュエータ６０の一対の突出ピン６２の係合が同時に外れ、したがって、アクチュエータ６０は、回転可能状態となる。
【００７０】
この状態から第１のカード１１０がさらに挿入され、前進すると、第１のカード１１０の先端がアクチュエータ６０のシャッター部６１に当接する。この時、上述したように、アクチュエータ６０は、回転可能状態となっている。したがって、第１のカード１１０の前進に伴い、アクチュエータ６０は、ネジリコイルバネの付勢力に抗して、前方に向って押し倒されるように回転する。アクチュエータ６０の回転の途中において、アクチュエータ６０の一対の脚部６５に設けられている係合凹部（不図示）が仕切り板４１の左右一対の駆動片４４、４５に係合する。
【００７１】
さらに第１のカード１１０が挿入されると、アクチュエータ６０は完全に倒れ込んだ第２の位置まで回転し、第１のカード１１０が通過し得るようにカード収容空間上部が開放される。それにより、第１のカード１１０は、該アクチュエータ６０のシャッター部６１を乗り越えて前進する。
【００７２】
この時、アクチュエータ６０の第２の位置までの回転が、一対の駆動片４４、４５を十分に押し下げ、仕切り板４１を傾斜させる。すなわち、仕切り板４１の後端部が、押し下げられる。したがって、第１のカード１１０の先端は、仕切り板４１の後端部上に乗り上がることが可能な状態となっている。
【００７３】
この状態から第１のカード１１０がさらに挿入されると、第１のカード１１０の前進に伴い、仕切り板４１は、ベース部材１０の底壁１１の上面に平行になる位置、すなわち第２の位置まで押し下げられる。仕切り板４１がこのように押し下げられることで、該仕切り板４１の下に配置される可動金属部材３０の弾性変形片３３が変形し、可動金属片３０の移動片３４及び当接片３５が下降する。可動金属部材３０は、移動片３４が第２のカード当接部材２７の受け部材２７ｈの上面に当接する第２の位置まで下降する。したがって、図３（ａ）に示されるように、第１のカード１１０のカード前端面１１７は、イジェクト機構２０のカード当接部材２５を構成する第２のカード当接部材２７の第１のカード押圧面２７ｂに当接し得る。このとき、第１のカード１１０の切欠部としての傾斜面１１６が、第１のカード当接部材２６の傾斜面２６ａ及び第２のカード当接部材２７の傾斜面２７ｃに当接する。それにより、第１のカード１１０は、イジェクト機構２０の圧縮コイルバネ２９の付勢力に抗して、前方に向ってさらに押し込まれ、図３（ｂ）に示されるように、第２のカード当接部材２７の前端面２７ｎがベース部材１０の前壁１２に到達するまで押し込まれる。
【００７４】
図３（ｂ）の状態において、第１のカード１１０から押し込む力を取り除くと、プッシュ・プッシュ式イジェクト機構２０の作用により第１のカード１１０は若干後方に押し戻された状態でカードコネクタ１のカード収容空間内に保持される。この時、第１のカード１１０の複数のパッド１１４は、対応する複数の第１のコンタクト８０にそれぞれ接触し得る。        
第１のカード１１０は、上述したように、仕切り板４１を介して底壁１１との間に配置されている一対の押上バネ４９の付勢力に抗して、カード収容空間内にある仕切り板４１を第２の位置まで押し下げる。言い換えれば、仕切り板４１は、第１のカード１１０の上部本体１１１の表面に接触し、底壁１１に平行な第２の位置あり、第１のカード１１０を上方に押し上げている。したがって、第１のカード１１０の複数のパッド１１４は、対応する複数の第１のコンタクト８０に対して、それぞれ適切な接触圧で電気的に接触し得る。なお、第１のカード１１０がカードコネクタ１のカード収容空間内に装着されたとき、第１のカード１１０の上部本体１１１の表面が第２のカード１２０用の複数の第２のコンタクト９０に接触してもよい。このように構成しても、第１のカード１１０の上部本体１１１の表面にはパッドが形成されていないし、該表面は電気的に導電性を有していないので、第１のカード１１０に何ら悪い影響を与えることはない。むしろ、複数の第２のコンタクト９０に接触することで、第１のカード１１０と第１のコンタクト８０との接触圧を大きくするために、これらのコンタクトの反発力を利用し得る。
【００７５】
なお、第１のカード１１０の上部本体１１１と同じ幅を有する想定外のＩＣカードが、中段案内路１６内に挿入されたとしても、第１のカード当接部材２６の傾斜面２６ａ及び第２のカード当接部材２７の傾斜面２７ｃに当接するので、第１のカード１１０の所定の位置までの前進が妨げられる。また、第１のカード１１０が、例えば、前後逆に挿入しようとしても、下段案内路１７により挿入が妨げられる。
【００７６】
第１のカード１１０をカードコネクタ１から取り外すときは、図３（ｂ）の状態より若干後退した位置にある第１のカード１１０を図３（ｂ）の状態にまで再度押し込む。続いて、図３（ｂ）の状態で第１のカード１１０を押し込んでいる力を取り除くことで、第１のカード１１０は、イジェクト機構２０の作用によりカードコネクタ１から排出される。可動金属部材３０、仕切り部材４０、ロック金具５０及びアクチュエータ６０は、いずれも、それぞれの第１の位置に戻る。
【００７７】
次に、第２のカード１２０を本発明に係るカードコネクタ１に装着する動作について図４（ａ）及び（ｂ）を用いて説明する。
【００７８】
第２のカード１２０が、今、そのバッド１２３が形成された面を下にしたノーマル状態で下段案内路１７に沿うようにカード挿入口５から挿入される。第２のカード１２０の挿入は、下段案内路１７に沿って案内されるので、ロック金具５０に接触することがなく、したがって、アクチュエータ６０は依然として第１の位置にある。しかしながら、第２のカード１２０は、アクチュエータ６０に設けられた通過開口を通過可能であるので、そのままカード収容空間内を前進することができる。さらに、仕切り板４１も、第２のカード１２０の厚さＨ２０より高い第１の位置に配置されているので、第２のカード１２０は、仕切り板４１の下のカード収容空間内に挿入され得る。
【００７９】
第２のカード１２０がさらに仕切り板４１の下を前進すると、第２のカード当接部材２７の支持体２７ｄの後方部分２７ｄ２及びこれに固定されている可動金属部材３０の支持片３２が第２のカード１２０に設けられたダミーの溝部１２５内に収容される。しかしながら、上述したように、可動金属部材３０を構成する弾性変形片３３は、第２のカード１２０に設けられている切欠部としての傾斜面１２４と協同して、第２のカード１２０に当接しないように形成されている。それにより、第２のカード１２０のカード前端面１２７は、可動金属片３０の弾性変形片３３が変形しないので、図４（ａ）に示されるように、上昇したままの第１の位置にある可動金属部材３０の第２のカード押圧面３５ａに当接し得る。
【００８０】
第２のカード１２０のその後の装着動作は、第１のカード１１０の場合と同じであるので説明を省略する。また、第１のカード１１０の場合と同様、第２のカード１２０が装着されたとき、その上面（パッドが形成されていない面）が第１のカード１１０用の複数の第１のコンタクト８０に接触してもよい。
【００８１】
第２のカード１２０が間違って、中段案内路１６に沿って挿入されたとしても、第２のカード１２０はその幅が小さいため、一対のロック金具５０の対をなす接触部５２を同時に第２の位置へ移動させることが不可能であり、したがって、アクチュエータ６０が回転可能状態となることはなく、第２のカード１２０がアクチュエータ６０のシャッター部材６１より前方に挿入されることが阻止される。それにより、第２のカード１２０やカードコネクタ１、さらにはカードコネクタ１を介して接続されている電子機器を損傷させることはない。また、第２のカード１２０が、例えば、前後逆に下段案内路１７に挿入された場合、第２のカード１２０の後端面が第２のカード当接部材２７の支持体２７ｄの後端面２７ｅに当接するので、第２のカード１２０の所定の位置までの前進が妨げられる。あるいは、該第２のカード１２０と同じ幅を有する想定外のカードが、下段案内路１７に挿入された場合も、想定外のカードの前端面が第２のカード当接部材２７の支持体２７ｄの後端面２７ｅに当接し、該カードの所定の位置までの前進が妨げられる。
【００８２】
本実施形態では、カードコネクタ１は、第１のカード１１０をリバース状態で装着し、第２のカード１２０をノーマル状態で装着するように形成されている。しかしながら、これに限定されるものではなく、カードコネクタ１を第１のカード１１０及び第２のカード１２０をいずれもノーマルな状態で装着できるように形成することも当業者であれば可能である。この場合、カード当接部材２５を構成する第１のカード当接部材２６及び第２のカード当接部材２７に形成される傾斜面２７ｃが省略される。
【符号の説明】
【００８３】
１                カードコネクタ
５                カード挿入口
８                カバー部材
１０              ベース部材
１５、１６        一対の第１の案内路
１７              一対の第２の案内路
２０              イジェクト機構
２６              第１のカード当接部材
２７              第２のカード当接部材
２７ｂ            第２のカード押圧面
３０              可動金属部材
３３              弾性変形片
３４              移動片
３５              当接片
３５ａ            第２のカード当接面
４１              仕切り板
５０              一対のロック金具
５２              一対の接触部
６０              アクチュエータ
６１              シャッター部
６５              一対の脚部  
８０              第１のコンタクト
９０              第２のコンタクト
１１０            第１のカード
１２０            第２のカード
【図１】
0005578109.tif 000002
【図２】
0005578109.tif 000003
【図３】
0005578109.tif 000004
【図４】
0005578109.tif 000005
【図５】
0005578109.tif 000006
【図６】
0005578109.tif 000007
【図７】
0005578109.tif 000008
【図８】
0005578109.tif 000009